(57)【要約】【課題】  雨傘・日傘は使用者自身の手で持つため、両手に荷物等を持っての歩行や作業、車椅子や松葉杖の人は使用困難である。このことから両手がふさがった状態で傘を使用できる器具があると歩行や運搬作業が容易となる。【解決手段】  傘を手に持たずに任意の位置に保持するため、肩掛け型傘保持器は本体から伸びたアーム先のチャックに傘を固定する。アームの根元にはボールジョイントを取付け、傘の高さや角度を任意の位置に調整可能とする傘補助具。【選択図】  図１
2006346244.tif 000002
【特許請求の範囲】
【請求項１】
肩フック型傘保持器は逆Ｕ字型の形状を有し、弾性部材の適度な力で人体の胸部と背部をパッドで挟み、左右いずれかの肩に掛けて身体に取付ける。傘保持器の本体フレーム前面上部にはアームが接続され、ユニバーサルジョイントにより上下左右に角度調整を可能とする。アーム先端にはチャックを取付け、弾性部材の力により傘の手元または中棒を固定する。チャックで傘を前後左右の角度及び任意の高さに調節を可能とする傘保持器。
【請求項２】
傘保持器の身体接触面には圧力を和らげるクッション材を取付ける。また前記パッドは上下スライド及び前後左右の角度調整により身体胸背部の最適部にフィットできる傘保持器。
【発明の詳細な説明】
【技術分野】
【０００１】
本発明は雨傘・日傘の補助具に関するものである。
【背景技術】
【０００２】
雨傘・日傘は元来手で持つという概念があり、手で持たない使用方法は特許広報・新聞・雑誌・テレビ・インターネット等ではほとんど見当たらない。
【０００３】
本願発明に関連する公知技術として特許文献１が挙げられる。
【０００４】
【特許文献１】特開平１１−３１８５２８
【発明の開示】
【発明が解決しようとする課題】
【０００５】
雨傘・日傘は使用者自身の手で持つため、両手に荷物等を持っての歩行や作業、車椅子や松葉杖の人は使用困難である。このことから両手がふさがった状態で傘を使用できる器具があると歩行や運搬作業が容易となる。
【課題を解決するための手段】
【０００６】
手に持たずに傘を任意の位置に保持するため、肩に掛けた器具本体にボールジョイント付きアームを取り付け、アーム先に付くチャックにより傘を固定する。
【０００７】
肩掛け型傘保持器は布団干しバサミに似た形状・機能を有し、バネの力で胸部と背部を挟んで左右いずれかの肩に掛けて器具本体を身体に固定する。傘保持器本体の前面に自在に角度が変えられるボールジョイント付のアームを取付け、アーム先には角度調整ができるチャックを取付ける。チャックは洗濯バサミと似た構造で傘の手元または中棒を固定して傘全体を支える。
【発明の効果】
【０００８】
荷物やバッグ等を持って両手が塞がった状態でも、傘を使用しながらの歩行や作業、自転車に乗ることも可能で、雨天時の配送や野外での立ち作業に、また車椅子や松葉杖の人にも有効である。これにより不快な雨天時や日差しの強い時も快適に通勤通学や作業ができ、快適性や作業能率が向上する。
【発明を実施するための最良の形態】
【０００９】
以下に本発明の実施形態詳細を図にて説明する。
【００１０】
図１外観斜視図、図２本発明使用図、図３側面図、図４本体フレームと肩フックのジョイント部断面図、図５アームとボールジョイント部側面図、図６アーム部・チャック部上面図、図７胸部パッド部断面図である。
【００１１】
図２は本発明の使用図であるが、本発明は身体の左右の肩どちらかに傘保持器を取り付けるために、図１に示すように本体フレーム１０と肩フック２０はバネ機構部３０で接合される。本体フレームには胸部に固定するためのパッド部４０が取付けられる。また肩フック２０にもパッド部５０が取付けられる。本体フレーム１０にはアーム７０の角度を調整できるボールジョイント６０が接続される。アーム７０の先には洗濯バサミに似た構造のチャック８０を取付け、傘の手元９２または中棒９１を固定する。
【００１２】
図１より傘保持器の主要部は強度・軽量性・加工性を考慮してプラスチックを使用する。図３より肩フック２０は下部にクッション材２１を貼り付けて肩にあたる圧力を和らげる。また胸部パッド部４０及び背部パッド部５０には身体へのあたりを和らげるため、クッション材４１及び５１を貼り付ける。
【００１３】
本体フレーム１０と肩フック２０は図３、図４よりバネ機構部３０及びキャップ部２２にてバネ３３の適度な力が働き、胸パッド部４０と背パッド部５０により人体胸部及び背部をクランプして、傘保持器を身体に取り付ける。
【００１４】
図４のバネ機構部３０にはバネ３３を巻いた支持軸Ａ３４を通し、バネの片端は穴３７にはめ込まれる。インナー３１にはバネ支持軸Ｂ３５が差し込まれ、バネ支持軸Ａ３４とは内部のネジにより接続固定される。一方、バネの片端は溝部３６に引っ掛けられ、バネの力によりインナー下部を内側に引き寄せる力が働く。インナーの外周にはスプライン３２が刻まれ、キャップ部２２をはめ込む事により内側のスプライン２３と噛み合わせ、キャップ部の取付け角度を変えることにより、肩フックを好みのバネ圧に調整することができる。
【００１５】
図５よりボール６０のボルト部をナット６２で本体フレーム１０に固定する。上部クランプ６３及び下部クランプ６４はバネ６６の力でボールをクランプし、下部クランプ６４にアーム７０を固定する。また上部クランプ６３の端を握り締めるとボールジョイント部が緩み、アーム７０を自在に角度及び回転調整ができる。
【００１６】
図６はチャック部の上面図であるが、アーム７０の先には支持板７１が固定される。支持板とチャック取付け板８１は手回しネジ７２で固定し、手回しネジを緩めるとチャック部８０の上下角度を調整できる。チャックはバネ８３の力により傘の手元９２または中棒９１を締付けて固定する。レバー８４を支持板側に手で握るとチャックが緩み手元または中棒を着脱ができる。
【００１７】
図７は胸パッド部側面の断面図であるが、違和感なく胸部に最適に取付けるために手回しナット４２により、パッド部４０を上下方向にスライド及び身体の左右方向に傾けられる。本体フレーム１０にはスライド用中通し１１があり、手回しナットを緩めることにより、フランジ付きネジ４３と一体に本体フレームの中通し、及びパッド部中通し４４を上下に移動を可能とする。
【００１８】
図３において肩フック２０の先に背部パッド部５０を接続し、支持軸５２により背部パッド部は前後に傾き、身体背面にフィットさせる。
【実施例】
【００１９】
図２は人体の肩部に傘保持器を装着した実施例であるが、手で傘を持たなくても歩行が可能となる。但し、狭い場所や歩道でのすれ違い時には手で傘の持ち角度や高さの調整が必要であるが、衝突や接触時にはチャック部やボールジョイント部・肩フック部に力が働き、傘や傘保持器の脱落により人体への衝撃を和らげる。
【００２０】
傘を手で持たなくなった分、両手が空くので車椅子や松葉杖を使用する人、及び雨中において両手を使用した仕事や両手に荷物を持つ人に便利な傘補助具となる。
【図面の簡単な説明】
【００２１】
【図１】本発明の傘保持器外観斜視図である。
【図２】傘保持器身体装着図である。
【図３】チャック部を除く傘保持器の側面図である。
【図４】肩フック部ジョイント断面図である。
【図５】アーム及びボールジョイント部である。
【図６】傘保持器チャック部及びアーム部の上面図である。
【図７】胸部支持パッド断面図である。
【符号の説明】
【００２２】
１０  傘保持器本体フレーム
１１  スライド用中通し
２０  肩フック
２１  肩パッドクッション材
２２  肩フックキャップ部
２３  肩フックキャップ部スプライン
３０  肩フックバネ機構部
３１  インナー
３２  インナースプライン
３３  ねじりコイルバネ
３４  バネ支持軸Ａ
３５  バネ支持軸Ｂ
３６  インナーバネ溝
３７  バネ支持穴
４０  胸部パッド部
４１  胸部パッド部クッション材
４２  胸部パッド部締めナット
４３  胸部パッド部フランジ付きボルト
４４  胸部パッド部中通し
４５  フランジ移動空洞
５０  背部パッド部
５１  背部パッド部クッション材
５２  背部パッド部支持軸
６０  ボール
６１  ボール留めフランジ付きボルト
６２  ボール留めナット
６３  ボールジョイント上部クランプ
６４  ボールジョイント下部クランプ
６５  ボールジョイントクランプ支持軸
６６  ボールジョイントクランクバネ
７０  アーム
７１  支持板
７２  手回しネジ
８０  チャック部
８１  チャック取付け板
８２  チャック支点軸
８３  チャックコイルバネ
８４  チャックレバー
９０  傘
９１  中棒
９２  手元
【図１】
2006346244.tif 000003
【図２】
2006346244.tif 000004
【図３】
2006346244.tif 000005
【図４】
2006346244.tif 000006
【図５】
2006346244.tif 000007
【図６】
2006346244.tif 000008
【図７】
2006346244.tif 000009